(57)【要約】【課題】正確な階調表現と鮮明な画質を実現することが可能な、新規かつ改良された映像補償装置とその方法を提供する。【解決手段】データ信号による映像を表示する表示パネルを含む表示機器において、前記表示パネルに含まれる複数の画素に印加される試験用初期化電圧と試験用データ電圧による表示映像から輝度を分析し、前記複数の画素の駆動トランジスタに対するしきい値電圧の偏差を測定する散布測定部、前記駆動トランジスタに対するしきい値電圧の偏差に応じて前記表示パネルを所定の領域に区分し、前記所定の領域別に前記領域に含まれる複数の画素の駆動を初期化する互いに異なる初期化電圧を算出する電圧制御部、および、前記所定の領域に含まれる複数の画素に前記電圧制御部で算出した対応する初期化電圧を印加する初期化電圧供給部、を含む、表示機器の映像補償装置。【選択図】図１
2014026256.tif 000002
【特許請求の範囲】
【請求項１】
データ信号による映像を表示する表示パネルを含む表示機器において、
前記表示パネルに含まれる複数の画素に印加される試験用初期化電圧と試験用データ電圧による表示映像から輝度を分析し、前記複数の画素の駆動トランジスタに対するしきい値電圧の偏差を測定する散布測定部、
前記駆動トランジスタに対するしきい値電圧の偏差に応じて前記表示パネルを所定の領域に区分し、前記所定の領域別に前記領域に含まれる複数の画素の駆動を初期化する互いに異なる初期化電圧を算出する電圧制御部、および、
前記所定の領域に含まれる複数の画素に前記電圧制御部で算出した対応する初期化電圧を印加する初期化電圧供給部、
を含む、表示機器の映像補償装置。
【請求項２】
前記表示機器の映像補償装置は、前記散布測定部から伝達された前記試験用初期化電圧と試験用データ電圧による輝度分析情報を格納する格納部をさらに含む、請求項１に記載の表示機器の映像補償装置。
【請求項３】
前記散布測定部は、前記試験用データ電圧のターゲット輝度に対する実際の輝度を測定し、前記ターゲット輝度の臨界範囲を逸脱する程度に応じて前記駆動トランジスタのしきい値電圧の偏差を区分することを特徴とする、請求項１または２に記載の表示機器の映像補償装置。
【請求項４】
前記所定の領域は、少なくとも１つの画素、少なくとも１つの画素ライン、複数の画素ラインが含まれる少なくとも１つのブロック、および１つのフレームに発光する全体画素のうちのいずれか１つであることを特徴とする、請求項１〜３のいずれか一項に記載の表示機器の映像補償装置。
【請求項５】
前記初期化電圧は、前記複数の画素それぞれの駆動トランジスタのゲート電極に印加され、以前に入力されたデータ電圧を初期化させる電圧である、請求項１〜４のいずれか一項に記載の表示機器の映像補償装置。
【請求項６】
前記電圧制御部は、前記所定の領域に含まれる複数の画素の駆動トランジスタのしきい値電圧に対する補償期間の終点を互いに一致させるための電圧値として、前記所定の領域別に印加される互いに異なる初期化電圧をそれぞれ算出することを特徴とする、請求項１〜５のいずれか一項に記載の表示機器の映像補償装置。
【請求項７】
前記互いに異なる初期化電圧それぞれは、前記所定の領域それぞれに含まれる複数の画素の駆動トランジスタのしきい値電圧補償期間の終点を一致させる複数の電圧値に対する平均値、最大値、最小値、および中間値のうちのいずれか１つの値で決定されることを特徴とする、請求項６に記載の表示機器の映像補償装置。
【請求項８】
前記初期化電圧供給部は、前記互いに異なる初期化電圧を、前記所定の領域の区分形態に応じて異なるように印加することを特徴とする、請求項１〜７のいずれか一項に記載の表示機器の映像補償装置。
【請求項９】
前記初期化電圧供給部は、直列に連結する複数の抵抗を含み、
所定の基準電圧から前記電圧制御部で算出された互いに異なる初期化電圧値に分配し、前記複数の画素それぞれに連結した初期化電圧配線を通じて供給することを特徴とする、請求項１〜８のいずれか一項に記載の表示機器の映像補償装置。
【請求項１０】
前記初期化電圧供給部は、直列に連結する複数の抵抗を含み、
所定の基準電圧から前記電圧制御部で算出された互いに異なる初期化電圧値に分配し、前記複数の画素それぞれに連結したデータ線を通じて供給することを特徴とする、請求項１〜８のいずれか一項に記載の表示機器の映像補償装置。
【請求項１１】
前記複数の画素それぞれは、
データ信号に対応する駆動電流による光を放出する有機発光ダイオード、
前記有機発光ダイオードに前記データ信号に対応する駆動電流を伝達する駆動トランジスタ、
前記駆動トランジスタのゲート電極に前記データ信号によるデータ電圧を伝達するスイッチングトランジスタ、
前記駆動トランジスタのしきい値電圧を補償するために、前記駆動トランジスタのゲート電極とドレイン電極をダイオード連結するしきい値電圧補償トランジスタ、および、
前記駆動トランジスタのゲート電極に前記電圧制御部で算出された対応する初期化電圧を印加する初期化トランジスタ、
を含むことを特徴とする、請求項１〜１０のいずれか一項に記載の表示機器の映像補償装置。
【請求項１２】
前記複数の画素それぞれは、前記駆動トランジスタのゲート電極と前記画素の駆動電源電圧供給源の間に連結した貯蔵キャパシタをさらに含む、請求項１１に記載の表示機器の映像補償装置。
【請求項１３】
映像を表示する表示パネルに含まれる複数の画素に試験用初期化電圧と試験用データ電圧を印加して試験映像を表示する段階、
前記表示パネルの試験映像から輝度を分析し、前記複数の画素の駆動トランジスタに対するしきい値電圧の偏差を測定する段階、
前記駆動トランジスタに対するしきい値電圧の偏差に応じて前記表示パネルを所定の領域に区分し、前記所定の領域別に前記領域に含まれる複数の画素の駆動を初期化する互いに異なる初期化電圧を算出する段階、および、
前記所定の領域に含まれる複数の画素に前記算出した対応する初期化電圧を印加する段階、
を含む、表示機器の映像補償方法。
【請求項１４】
前記試験映像を表示する段階およびしきい値電圧の偏差を測定する段階は、前記試験用初期化電圧と試験用データ電圧を異にして繰り返されることを特徴とする、請求項１３に記載の表示機器の映像補償方法。
【請求項１５】
前記しきい値電圧の偏差を測定する段階は、前記試験用初期化電圧と試験用データ電圧による前記表示パネルの試験映像から分析した輝度分析情報を格納する段階を含むことを特徴とする、請求項１３または１４に記載の表示機器の映像補償方法。
【請求項１６】
前記しきい値電圧の偏差を測定する段階は、前記試験用データ電圧のターゲット輝度に対する実際の輝度を測定し、前記ターゲット輝度の臨界範囲を逸脱する程度に応じて前記駆動トランジスタのしきい値電圧の偏差を区分することを特徴とする、請求項１３〜１５のいずれか一項に記載の表示機器の映像補償方法。
【請求項１７】
前記所定の領域は、少なくとも１つの画素、少なくとも１つの画素ライン、複数の画素ラインが含まれる少なくとも１つのブロック、および１つのフレームに発光する全体画素のうちのいずれか１つであることを含む、請求項１３〜１６のいずれか一項に記載の表示機器の映像補償方法。
【請求項１８】
前記互いに異なる初期化電圧を算出する段階は、前記所定の領域に含まれる複数の画素の駆動トランジスタのしきい値電圧に対する補償期間の終点を互いに一致させるための電圧値で算出されることを特徴とする、請求項１３〜１７のいずれか一項に記載の表示機器の映像補償方法。
【請求項１９】
前記初期化電圧を印加する段階は、前記算出された互いに異なる初期化電圧を、前記所定の領域の区分形態に応じて異なるように印加することを特徴とする、請求項１３〜１８のいずれか一項に記載の表示機器の映像補償方法。
【請求項２０】
前記所定の領域が少なくとも１つの画素である場合、前記算出された互いに異なる初期化電圧は、前記画素のデータ線を通じて印加されることを特徴とする、請求項１９に記載の表示機器の映像補償方法。
【請求項２１】
前記所定の領域が少なくとも１つの画素ライン、複数の画素ラインが含まれる少なくとも１つのブロック、および１つのフレームに発光する全体画素のうちのいずれか１つの場合、前記算出された互いに異なる初期化電圧は、前記画素にそれぞれ連結した初期化電圧配線を通じて印加されることを特徴とする、請求項１９に記載の表示機器の映像補償方法。
【請求項２２】
前記初期化電圧を印加する段階は、
前記表示パネルに含まれる複数の画素それぞれが対応するデータ信号による映像を表示するために駆動する期間のうち、前記複数の画素それぞれの駆動トランジスタのしきい値電圧が補償される期間以前に行われることを特徴とする、請求項１３〜２１のいずれか一項に記載の表示機器の映像補償方法。
【発明の詳細な説明】
【技術分野】
【０００１】
本発明は、表示機器の映像補償装置および方法に関する。
【背景技術】
【０００２】
平板表示機器には、液晶表示装置（Ｌｉｑｕｉｄ  Ｃｒｙｓｔａｌ  Ｄｉｓｐｌａｙ）、電界放出表示装置（Ｆｉｅｌｄ  Ｅｍｉｓｓｉｏｎ  Ｄｉｓｐｌａｙ）、プラズマ表示パネル（Ｐｌａｓｍａ  Ｄｉｓｐｌａｙ  Ｐａｎｅｌ）、および有機発光表示装置（Ｏｒｇａｎｉｃ  Ｌｉｇｈｔ  Ｅｍｉｔｔｉｎｇ  ＤｉｓｐｌａｙＤｅｖｉｃｅ）などがある。
【０００３】
平板表示機器のうちの有機発光表示装置は、電子と正孔の再結合によって光を発生する有機発光ダイオードを利用して映像を表示する。このような有機発光表示装置は、速い応答速度を持つと共に低い消費電力で駆動し、発光効率、輝度、および視野角が優れているという長所があるため注目を集めている。
【０００４】
通常、有機発光表示装置は、有機発光ダイオードを駆動する方式に応じて、パッシブマトリクス型有機発光表示装置（ＰＭＯＬＥＤ）とアクティブマトリクス型有機発光表示装置（ＡＭＯＬＥＤ）とに分類される。
【先行技術文献】
【特許文献】
【０００５】
【特許文献１】韓国公開特許第１０−２０１０−００７５１３２号公報
【発明の概要】
【発明が解決しようとする課題】
【０００６】
パッシブマトリクス型は、正極と負極を互いに直交するように形成して負極ラインと正極ラインを選択して駆動する方式であり、アクティブマトリクス型は、薄膜トランジスタとキャパシタを各画素内に集積し、キャパシタ容量によって電圧を維持するようにする駆動方式である。パッシブマトリクス型は、構造が簡単で廉価であるが、大型または高精密度のパネル実現が困難である。この反面、アクティブマトリクス型は、大型および高精密度のパネル実現が可能であるが、その制御方法が技術的に困難であり、比較的に高価であるという問題がある。
【０００７】
解像度、コントラスト、動作速度の観点において、単位画素ごとに選択して点灯するアクティブマトリクス型有機発光表示装置（ＡＭＯＬＥＤ）が主流となっている。
【０００８】
アクティブマトリクス型ＯＬＥＤ（以下、有機発光表示装置）の一画素において、有機発光ダイオードの発光程度は、有機発光ダイオードにデータ電圧による駆動電流を供給する駆動トランジスタを制御することによって調節される。
【０００９】
有機発光表示装置の表示パネル内において、複数の駆動トランジスタ間のしきい値電圧と電流移動度に対する偏差が発生することがある。このような偏差は、Ｐｏｌｙ−Ｓｉｌｉｃｏｎの特性と駆動トランジスタの製造工程、工法、環境に応じて発生するようになる。あるいは、有機発光表示装置の使用時間（表示期間）の増加による駆動トランジスタの劣化によっても発生するようになる。
【００１０】
均一でない駆動トランジスタのしきい値電圧特性により、各画素回路に同じデータ電圧を印加しても、出力される画素の発光程度が異なるようになり、これによって明るい画面に相対的に暗い砂粒のようなムラ現象が発生するようになる。すなわち、駆動トランジスタのしきい値電圧が均一でなければ、同じデータ電圧が印加されても、有機発光ダイオードに供給される駆動電流と直接に連結した駆動トランジスタのゲート−ソース電圧（Ｖｇｓ）出力が異なるようになる。これにより、データ信号に応じて正確な階調で表現されずにムラが生じ、表示品質の低下を招来する。
【００１１】
このような駆動トランジスタのしきい値電圧散布補償を通じて映像を補償する技術が開発されてきたが、最近では表示パネルの大型化によって高速駆動方式が要求される傾向にあり、表示パネル全体の画素に対するしきい値電圧の十分な補償に困難を来たしている。
【００１２】
そこで、本発明は、上記問題に鑑みてなされたものであり、本発明の目的とするところは、正確な階調表現と鮮明な画質を実現することが可能な、新規かつ改良された映像補償装置とその方法を提供することにある。
【課題を解決するための手段】
【００１３】
上記課題を解決するために、本発明のある観点によれば、データ信号による映像を表示する表示パネルを含む表示機器において、前記表示パネルに含まれる複数の画素に印加される試験用初期化電圧と試験用データ電圧による表示映像から輝度を分析し、前記複数の画素の駆動トランジスタに対するしきい値電圧の偏差を測定する散布測定部、前記駆動トランジスタに対するしきい値電圧の偏差に応じて前記表示パネルを所定の領域に区分し、前記所定の領域別に前記領域に含まれる複数の画素の駆動を初期化する互いに異なる初期化電圧を算出する電圧制御部、および、前記所定の領域に含まれる複数の画素に前記電圧制御部で算出した対応する初期化電圧を印加する初期化電圧供給部、を含む、表示機器の映像補償装置が提供される。
【００１４】
前記表示機器の映像補償装置は、前記散布測定部から伝達された前記試験用初期化電圧と試験用データ電圧による輝度分析情報を格納する格納部をさらに含んでもよい。
【００１５】
前記散布測定部は、前記試験用データ電圧のターゲット輝度に対する実際の輝度を測定し、前記ターゲット輝度の臨界範囲を逸脱する程度に応じて前記駆動トランジスタのしきい値電圧の偏差を区分してもよい。
【００１６】
前記所定の領域は、少なくとも１つの画素、少なくとも１つの画素ライン、複数の画素ラインが含まれる少なくとも１つのブロック、および１つのフレームに発光する全体画素のうちのいずれか１つであってもよい。
【００１７】
前記初期化電圧は、前記複数の画素それぞれの駆動トランジスタのゲート電極に印加され、以前に入力されたデータ電圧を初期化させる電圧であってもよい。
【００１８】
前記電圧制御部は、前記所定の領域に含まれる複数の画素の駆動トランジスタのしきい値電圧に対する補償期間の終点を互いに一致させるための電圧値として、前記所定の領域別に印加される互いに異なる初期化電圧をそれぞれ算出してもよい。
【００１９】
前記互いに異なる初期化電圧それぞれは、前記所定の領域それぞれに含まれる複数の画素の駆動トランジスタのしきい値電圧補償期間の終点を一致させる複数の電圧値に対する平均値、最大値、最小値、および中間値のうちのいずれか１つの値で決定されてもよい。
【００２０】
前記初期化電圧供給部は、前記互いに異なる初期化電圧を、前記所定の領域の区分形態に応じて異なるように印加してもよい。
【００２１】
前記初期化電圧供給部は、直列に連結する複数の抵抗を含み、所定の基準電圧から前記電圧制御部で算出された互いに異なる初期化電圧値に分配し、前記複数の画素それぞれに連結した初期化電圧配線を通じて供給してもよい。
【００２２】
前記初期化電圧供給部は、直列に連結する複数の抵抗を含み、所定の基準電圧から前記電圧制御部で算出された互いに異なる初期化電圧値に分配し、前記複数の画素それぞれに連結したデータ線を通じて供給してもよい。
【００２３】
前記複数の画素それぞれは、データ信号に対応する駆動電流による光を放出する有機発光ダイオード、前記有機発光ダイオードに前記データ信号に対応する駆動電流を伝達する駆動トランジスタ、前記駆動トランジスタのゲート電極に前記データ信号によるデータ電圧を伝達するスイッチングトランジスタ、前記駆動トランジスタのしきい値電圧を補償するために、前記駆動トランジスタのゲート電極とドレイン電極をダイオード連結するしきい値電圧補償トランジスタ、および前記駆動トランジスタのゲート電極に前記電圧制御部で算出された対応する初期化電圧を印加する初期化トランジスタ、を含んでもよい。
【００２４】
前記複数の画素それぞれは、前記駆動トランジスタのゲート電極と前記画素の駆動電源電圧供給源の間に連結した貯蔵キャパシタをさらに含んでもよい。
【００２５】
また、上記課題を解決するために、本発明の別の観点によれば、映像を表示する表示パネルに含まれる複数の画素に試験用初期化電圧と試験用データ電圧を印加して試験映像を表示する段階、前記表示パネルの試験映像から輝度を分析し、前記複数の画素の駆動トランジスタに対するしきい値電圧の偏差を測定する段階、前記駆動トランジスタに対するしきい値電圧の偏差に応じて前記表示パネルを所定の領域に区分し、前記所定の領域別に前記領域に含まれる複数の画素の駆動を初期化する互いに異なる初期化電圧を算出する段階、および、前記所定の領域に含まれる複数の画素に前記算出した対応する初期化電圧を印加する段階、を含む、表示機器の映像補償方法が提供される。
【００２６】
前記試験映像を表示する段階およびしきい値電圧の偏差を測定する段階は、前記試験用初期化電圧と試験用データ電圧を異にして繰り返されてもよい。
【００２７】
前記しきい値電圧の偏差を測定する段階は、前記試験用初期化電圧と試験用データ電圧による前記表示パネルの試験映像から分析した輝度分析情報を格納する段階を含んでもよい。
【００２８】
前記しきい値電圧の偏差を測定する段階は、前記試験用データ電圧のターゲット輝度に対する実際の輝度を測定し、前記ターゲット輝度の臨界範囲を逸脱する程度に応じて前記駆動トランジスタのしきい値電圧の偏差を区分してもよい。
【００２９】
前記所定の領域は、少なくとも１つの画素、少なくとも１つの画素ライン、複数の画素ラインが含まれる少なくとも１つのブロック、および１つのフレームに発光する全体画素のうちのいずれか１つであることを含んでもよい。
【００３０】
前記互いに異なる初期化電圧を算出する段階は、前記所定の領域に含まれる複数の画素の駆動トランジスタのしきい値電圧に対する補償期間の終点を互いに一致させるための電圧値で算出されてもよい。
【００３１】
前記初期化電圧を印加する段階は、前記算出された互いに異なる初期化電圧を、前記所定の領域の区分形態に応じて異なるように印加してもよい。
【００３２】
前記所定の領域が少なくとも１つの画素である場合、前記算出された互いに異なる初期化電圧は、前記画素のデータ線を通じて印加されてもよい。
【００３３】
前記所定の領域が少なくとも１つの画素ライン、複数の画素ラインが含まれる少なくとも１つのブロック、および１つのフレームに発光する全体画素のうちのいずれか１つの場合、前記算出された互いに異なる初期化電圧は、前記画素にそれぞれ連結した初期化電圧配線を通じて印加されてもよい。
【００３４】
前記初期化電圧を印加する段階は、前記表示パネルに含まれる複数の画素それぞれが対応するデータ信号による映像を表示するために駆動する期間のうち、前記複数の画素それぞれの駆動トランジスタのしきい値電圧が補償される期間以前に行われてもよい。
【発明の効果】
【００３５】
以上説明したように本発明によれば、正確な階調表現と鮮明な画質を実現することが可能な、映像補償装置とその方法を提供することができる。
【図面の簡単な説明】
【００３６】
【図１】本発明の実施形態に係る表示機器の映像補償装置の概略的な構成を示すブロック図である。
【図２】本発明の実施形態に係る映像補償装置の補償対象となる表示パネルに含まれる画素の代表的な回路構造を示す回路図である。
【図３】図２の画素回路の駆動を示す信号タイミング図である。
【図４】駆動トランジスタのしきい値電圧散布と補償時間の関係を示すグラフである。
【図５】本発明の実施形態に係る映像補償方法を適用した場合の駆動トランジスタのしきい値電圧補償程度を示すグラフである。
【図６】本発明の実施形態に係る映像補償方法を示すフローチャートである。
【発明を実施するための形態】
【００３７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３８】
明細書全体において、ある部分が他の部分と「連結」しているとするとき、これは「直接的に連結」している場合だけではなく、その中間に他の素子を間において「電気的に連結」している場合も含む。また、ある部分がある構成要素を「含む」とするとき、これは特に反対となる記載がない限り、他の構成要素を除くのではなく、他の構成要素をさらに含み得ることを意味する。
【００３９】
図１は、本発明の実施形態に係る表示機器の映像補償装置の概略的な構成を示すブロック図である。
【００４０】
本発明の映像補償装置１００は表示パネル２００に連結し、表示パネル２００で表示する映像の欠陥や階調ムラを補償することにより、鮮明かつ高品位の画質を実現することができる装置である。
【００４１】
本発明の映像補償装置１００が適用される表示パネル２００は、特に制限されることはない。具体的に、表示パネル２００は、アクティブマトリクス型の有機発光表示装置の表示パネルであってもよい。
【００４２】
図１を参照すれば、映像補償装置１００は、散布測定部１１０、格納部１２０、電圧制御部１３０、および初期化電圧供給部１４０で構成される。
【００４３】
散布測定部１１０は、表示パネル２００と連結し、表示パネルに含まれる複数の画素それぞれの駆動トランジスタに対するしきい値電圧の偏差（散布）を測定する。
【００４４】
散布測定部１１０は、表示パネル２００の画素の駆動トランジスタの散布を測定するために、表示パネルがテスト用映像を表示するようにする所定の電圧設定値を提供する。このとき、提供される電圧設定値は、テスト用映像の試験用データ電圧値と試験用初期化電圧値を含む。
【００４５】
試験用データ電圧値は、表示パネルの複数の画素それぞれのデータ線にテスト用として供給されるデータ電圧であって、全体画素が同じである所定のターゲット輝度で発光することができる同一階調情報を持つデータ電圧である。
【００４６】
試験用初期化電圧値は、表示パネルの複数の画素それぞれの駆動電流を初期化させることができるように、全体画素に同じように伝達される初期化電圧である。表示パネルの特性と種類に応じて、表示パネルに含まれる画素の駆動を初期化させる方法は多様であるため、前記試験用初期化電圧が印加される方式も特に制限されることはない。一例として、画素が有機発光素子のような自発光素子である場合、試験用初期化電圧は、有機発光素子に伝達される駆動電流を一定の値に初期化させるように制御素子（駆動トランジスタ）に印加されてもよい。
【００４７】
散布測定部１１０は、表示パネル２００に所定の試験用データ電圧値と所定の試験用初期化電圧値に対する設定値を伝達すれば、表示パネル２００は、試験用初期化電圧によって初期化された後、試験用データ電圧による映像として表示される。図１に具体的に示してはいないが、散布測定部１１０の設定値は、表示パネル２００の駆動部に伝達される。表示パネル２００で試験用映像が表示されるように表示パネルを駆動する駆動ＩＣは、既存の駆動部と同じであるため、これに対する説明は省略する。
【００４８】
表示パネル２００は、外部から供給される駆動電源によって駆動し、散布測定部１１０から伝達された設定値を利用して各画素を初期化した後、試験用データ電圧による映像を表示する。
【００４９】
散布測定部１１０は、表示パネル２００で表示される試験用映像に対する輝度を分析する。すなわち、表示パネル２００が試験用データ電圧値に対応するターゲット輝度に対比して実際にどのような輝度値で発光するのかを測定する。ターゲット輝度は、試験用データ電圧に対応する階調情報に応じて理想的に発光したときの目標輝度を意味する。
【００５０】
散布測定部１１０は、前記試験用データ電圧値と試験用初期化電圧値の設定を異にして調整しながら、表示パネルの試験用映像から輝度を繰り返し分析する。散布測定部１１０において表示パネルの試験用映像で輝度を繰り返し分析するとき、散布測定部から伝達する設定値を除いた表示パネルのすべての駆動条件および駆動時間は常に同じように固定する。すなわち、外部駆動電源、画素回路構造、配線などの駆動環境と、初期化時間、しきい値電圧補償時間、走査（スキャン）、およびデータ入力時間、発光時間などの駆動時間が常に一定に固定された状態で繰り返し試験映像を表示するようにする。
【００５１】
表示パネル２００で試験用映像が繰り返し表示され、これによって散布測定部１１０で試験用映像の輝度を分析する過程を通じて取得される階調情報および設定電圧値は、格納部１２０に伝達されて格納される。
【００５２】
格納部１２０は、散布測定部１１０に連結し、散布測定部１１０から表示パネルのテスト映像に対する各種情報を伝達してルックアップテーブル形態で格納してもよい。格納部１２０に格納されたルックアップテーブルは、所定の輝度値を有する試験用データ電圧に対応して表示パネルで実際に表示される階調値であって、表示パネルの画素に印加される初期化電圧が異なることによって変化する階調情報の関係を示す。
【００５３】
電圧制御部１３０は、外部映像信号によって表示パネルが映像を表示するとき、複数の駆動トランジスタのしきい値電圧散布を補償するための初期化電圧を設定する。このとき、電圧制御部１３０は、格納部１２０に格納された表示パネルの初期化電圧に対する階調情報関係のルックアップテーブルを利用する。
【００５４】
すなわち、表示パネルの各画素の駆動トランジスタのしきい値電圧特性がそれぞれ相違するため、試験用データ電圧による映像において階調ムラが発生する現象が起こることがある。階調ムラの発生程度は、試験用データ電圧のターゲット輝度と実際の輝度の偏差に影響を受ける。
【００５５】
したがって、ターゲット輝度の所定の臨界範囲を設定し、実際の輝度がこのような臨界範囲を逸脱した場合、表示パネルの該当画素を画素単位で、または画素ライン単位で、または画素群で纏めたブロック単位で、またはフレーム単位で、初期化電圧を異なるように設定するようになる領域を決定する。前記実際の輝度がターゲット輝度の臨界範囲を逸脱する程度に応じて、画素の駆動トランジスタのしきい値電圧の散布を区分してもよい。すなわち、実際の輝度がターゲット輝度の臨界範囲を逸脱水準によって区分して所定のグループで纏め、該当グループに属する画素の駆動トランジスタのしきい値電圧の特性が互いに類似しているものとして扱ってもよい。
【００５６】
電圧制御部１３０は、画素別、ライン別、ブロック別、フレーム別に散布測定部１１０が初期化電圧を異にしながら表示パネルの映像を表示するとき、階調ムラが発生しない水準で該当領域の初期化電圧を決定してもよい。ここで、階調ムラの発生は、該当領域（画素、ライン、ブロック、フレーム領域）に含まれる画素の駆動トランジスタしきい値電圧が十分に補償されずに輝度偏差が臨界範囲を越えたことを意味する。
【００５７】
これにより、電圧制御部１３０は、表示パネルの初期化電圧制御の領域を決定した後、ルックアップテーブルを利用し、各領域別に階調ムラが発生する直前の初期化電圧を実際印加電圧として決定してもよい。
【００５８】
一例として、表示パネルのテストにおいて、同じ試験用データ電圧を印加したにも関わらず、１画素ライン、２画素ライン、３画素ラインにおいてそれぞれ階調ムラが異なって発現すれば、電圧制御部１３０は初期化電圧の制御対象領域を画素ライン単位に設定し、各画素ラインに印加される初期化電圧を決定してもよい。
【００５９】
すなわち、上述した例において、１画素ライン、２画素ライン、３画素ラインにそれぞれ含まれる画素の駆動トランジスタのしきい値電圧が互いに相違するため、同じ補償および駆動時間で表示パネルを駆動させても、前記画素ラインごとに表示される映像の階調ムラが異なって発生する。例えば、１Ｖで試験用初期化電圧を印加したとき、１画素ラインと２画素ラインの画素はしきい値電圧が−１〜１Ｖの範囲内であるため、所定の補償期間に十分にしきい値電圧が補償される反面、３画素ラインの画素はしきい値電圧が−１Ｖ以下の範囲であるため、前記補償期間にしきい値電圧が補償されない。したがって、１Ｖの初期化電圧で同じようにすべてのパネルの画素を初期化させる場合、３画素ラインの領域において正確な輝度で映像が表示されずにムラが発生するようになる。
【００６０】
これにより、電圧制御部１３０は、各画素ライン別に同じ補償期間にしきい値電圧がすべて補償されるように初期化電圧を異なるように決定してもよい。すなわち、格納部１２０のルックアップテーブルを利用し、上述した例において３画素ライン領域の場合は、初期化電圧を１Ｖよりも順に低く印加したとき、同じ補償期間であっても階調ムラが発生しない電圧値（一例として−１Ｖ）を探すことができ、その値を３画素ラインの画素に印加する初期化電圧値として設定してもよい。
【００６１】
上述した電圧制御部１３０における初期化電圧決定方法は例示的なものに過ぎず、これに制限されることはなく、初期化電圧を異なるように供給される設定領域の形態に応じて決定してもよい。
【００６２】
すなわち、画素単位で初期化電圧が異なるように供給される場合であれば、格納部１２０のルックアップテーブルを利用し、それぞれ対応する画素の初期化電圧を求めてもよい。
【００６３】
ライン単位や複数の画素ラインが含まれるブロック単位で初期化電圧が異なるように供給される場合であれば、電圧制御部１３０は、対応するラインやブロック内に含まれる複数の画素それぞれに対する複数の初期化電圧をルックアップテーブルを利用して決定した後、前記複数の初期化電圧に対する平均値や最大値、最小値、または中間値で初期化電圧を決定してもよい。
【００６４】
フレーム単位で初期化電圧が異なるように供給される場合であれば、電圧制御部１３０は、全体表示パネルの画素の初期化電圧をルックアップテーブルを利用して決定した後、平均値や最大値、最小値、または中間値で初期化電圧を決定してもよい。
【００６５】
上述した実施形態において、表示パネルに含まれる画素構造は、図２に提示したとおりＰＭＯＳトランジスタで構成されることを想定した。また、画素を初期化させる方式は、画素のＰＭＯＳ駆動トランジスタのゲート電圧に初期化電圧を印加する方式である。
【００６６】
上述した実施形態の説明は、画素の構成素子をＰＭＯＳとして想定して説明したものに過ぎず、ＮＭＯＳトランジスタで構成された場合は、これとは反対に、ルックアップテーブルで初期化電圧値を順に増加させながら、該当領域の補償に適する電圧値を探してもよい。
【００６７】
表示パネルに含まれる画素の一実施形態に係る具体的な回路構造については、図２を参照しながら説明する。
【００６８】
電圧制御部１３０で表示パネルの設定領域別に異なるように初期化電圧値を決定すれば、初期化電圧情報が初期化電圧供給部１４０に伝達される。これにより、初期化電圧供給部１４０は、前記設定領域別にそれぞれ設定された初期化電圧を該当設定領域の画素に供給する。
【００６９】
初期化電圧供給部１４０は、デジタル−アナログ電圧変換部（Ｄｉｇｉｔａｌ−Ａｎａｌｏｇ  Ｃｏｎｖｅｒｔｅｒ：ＤＡＣ）で構成されてもよく、基準電圧と接地電圧の間に複数の抵抗が直列に連結したＲ−ｓｔｒｉｎｇで構成されてもよい。
【００７０】
初期化電圧供給部１４０で表示パネル２００の各設定領域別に相違した初期化電圧を供給する形態は、設定領域単位に応じて異なってもよい。すなわち、表示パネルの設定領域単位に応じて、初期化電圧は別途の電圧配線を通じて供給されたり、あるいは既存に配置されているデータラインを利用してデータ入力時間とは異なる時間に供給されてもよい。
【００７１】
すなわち、初期化電圧供給部１４０の各初期化電圧出力方法と表示パネルへの供給形態は、特に制限されることはない。
【００７２】
前記設定領域の基本単位が個別の画素である場合には、前記電圧制御部１３０でそれぞれの画素ごとに印加される初期化電圧値が決定される。これにより、初期化電圧供給部１４０から個別の画素に電圧を通じて相違する初期化電圧を出力する。画素ごとに相違するように決定された初期化電圧の供給形態は制限されることはないが、設定領域が画素単位である場合、画素ごとに連結しているデータラインを利用してもよい。
【００７３】
一方、前記設定領域の基本単位が画素ラインであったり、または複数の画素ラインを含むブロックである場合には、初期化電圧供給部１４０は、ライン単位で形成された初期化電圧配線を通じて初期化電圧を異なるように分配して供給してもよい。図１の実施形態は、３つのブロックで領域を決定した場合、それぞれのブロックに互いに異なる第１初期化電圧（Ｖｉｎｉｔ１）、第２初期化電圧（Ｖｉｎｉｔ２）、および第３初期化電圧（Ｖｉｎｉｔ３）を分配して供給することを示している。
【００７４】
また、前記設定領域の基本単位をフレーム単位としてもよいが、このような場合には、フレームごとに表示パネル２００全体に伝達される初期化電圧値を異なるように設定して印加してもよい。このとき、初期化電圧供給部１４０は、初期化電圧をフレームごとに相違するように表示パネルに出力する。
【００７５】
図２は、本発明の実施形態に係る映像補償装置の補償対象となる表示パネルに含まれる画素の代表的な回路構造を示す回路図である。
【００７６】
図２の画素を参照すれば、有機発光ダイオード（ＯＬＥＤ）とこれを駆動する駆動回路で構成されるが、前記駆動回路は４つのトランジスタ（Ｍ１〜Ｍ４）と１つのキャパシタ（Ｃｓｔ）とで構成される。しかし、このような図２の回路構造は一例に過ぎず、このような回路構成に限定されることはない。
【００７７】
図２の画素回路に発光制御信号によって有機発光ダイオード（ＯＬＥＤ）に流れる駆動電流を制御する発光制御トランジスタを少なくとも１つ以上追加し、６つのトランジスタと１つのキャパシタで構成される６ＴＲ１ＣＡＰ構造も可能である。
【００７８】
図２の実施形態のような画素で構成された表示パネルの映像補償は、有機発光ダイオードの駆動電流を伝達する駆動トランジスタのゲート端子に印加される初期化電圧を制御することによって行われる。
【００７９】
具体的に、図２の画素は、有機発光ダイオード（Ｏｒｇａｎｉｃ  Ｌｉｇｈｔ  Ｅｍｉｔｔｉｎｇ  Ｄｉｏｄｅ：ＯＬＥＤ）と、有機発光ダイオード（ＯＬＥＤ）に駆動電流を伝達する駆動トランジスタ（Ｍ１）を含む。また、図２の画素は、スイッチングトランジスタ（Ｍ２）、しきい値電圧補償トランジスタ（Ｍ３）、初期化トランジスタ（Ｍ４）、および貯蔵キャパシタ（Ｃｓｔ）を含む。
【００８０】
駆動トランジスタ（Ｍ１）は、第１ノード（Ｎ１）に連結したゲート電極、外部から供給されるハイレベルの駆動電源電圧（ＥＬＶＤＤ）供給源に連結した第１電極、および有機発光ダイオード（ＯＬＥＤ）のアノード電極に連結した第２電極を含む。駆動トランジスタ（Ｍ１）は、ターンオンしたとき、第１ノード（Ｎ１）に入力されるデータ信号によるデータ電圧の駆動電流を有機発光ダイオード（ＯＬＥＤ）に伝達し、所定の輝度の光で発光させる。
【００８１】
スイッチングトランジスタ（Ｍ２）は、複数の走査線のうちで対応する走査線に連結するゲート電極、複数のデータ線のうちで対応するデータ線に連結する第１電極、および前記第１ノード（Ｎ１）に連結する第２電極を含む。スイッチングトランジスタ（Ｍ２）は、ターンオンするとき、前記データ線を通じてデータ信号によるデータ電圧（Ｖｄａｔａ）を駆動トランジスタ（Ｍ１）のゲート電極が連結した第１ノード（Ｎ１）に伝達する。
【００８２】
しきい値電圧補償トランジスタ（Ｍ３）は、複数の第１制御線のうちで対応する第１制御線に連結するゲート電極、前記駆動トランジスタ（Ｍ１）のゲート電極が連結する第１ノード（Ｎ１）に連結する第１電極、および前記駆動トランジスタ（Ｍ１）の第２電極に連結する第２電極を含む。前記第１制御線は、駆動トランジスタ（Ｍ１）のしきい値電圧の補償を制御する補償制御信号（ＧＣ）を供給する制御線である。しきい値電圧補償トランジスタ（Ｍ３）は、前記補償制御信号（ＧＣ）に応答してターンオンしたとき、駆動トランジスタ（Ｍ１）のゲート電極と第２電極をダイオード連結して駆動トランジスタ（Ｍ１）がダイオードになるようにする。
【００８３】
また、初期化トランジスタ（Ｍ４）は、複数の第２制御線のうちで対応する第２制御線に連結するゲート電極、初期化電圧（Ｖｉｎｉｔ）の供給を初期化電圧配線に連結する第１電極、および前記第１ノード（Ｎ１）に連結する第２電極を含む。前記第２制御線は、駆動トランジスタ（Ｍ１）のデータ入力とこれを表示する駆動過程で、以前に入力されたデータ電圧を初期化させるための初期化電圧（Ｖｉｎｉｔ）の供給を制御する初期化制御信号（ＩＮＴ）を供給する制御線である。初期化トランジスタ（Ｍ４）は、前記初期化制御信号（ＩＮＴ）に応答してターンオンしたとき、駆動トランジスタ（Ｍ１）のゲート電極に前記初期化電圧（Ｖｉｎｉｔ）を印加し、駆動トランジスタ（Ｍ１）のゲート電極に入力された以前のデータ電圧を初期化させる。
【００８４】
貯蔵キャパシタ（Ｃｓｔ）は、駆動トランジスタ（Ｍ１）の第１電極が連結した駆動電源電圧（ＥＬＶＤＤ）供給源に連結した一電極および前記第１ノード（Ｎ１）に連結した他電極を含む。貯蔵キャパシタ（Ｃｓｔ）は、両電極に印加される電圧差による電圧を充電するため、第１ノード（Ｎ１）に印加される電圧変化によって異なる電圧と駆動電源電圧（ＥＬＶＤＤ）の差だけの電圧を一定期間維持する。
【００８５】
図２において、画素を構成するトランジスタはＰＭＯＳトランジスタであるが、これは一例に過ぎず、ＮＭＯＳトランジスタで構成されてもよい。したがって、図２において、トランジスタをターンオンさせるゲートオン電圧は所定のローレベルであるが、構成トランジスタの種類が変わればゲートオン電圧レベルは反対となる。
【００８６】
図２の実施形態に係る画素の構成を利用して有機発光ダイオード（ＯＬＥＤ）が駆動する過程について、図３のタイミング図を利用しながら詳察する。
【００８７】
まず、時点ｔ１において、初期化制御信号（ＩＮＴ）が図２の画素に含まれるトランジスタのゲートオンレベルの所定のローレベルに変換する。ローレベルの初期化制御信号（ＩＮＴ）が第２制御線を通じて初期化トランジスタ（Ｍ４）に伝達されれば、画素の初期化トランジスタ（Ｍ４）がターンオンする。これにより、初期化電圧（Ｖｉｎｉｔ）が第１ノード（Ｎ１）に印加される。貯蔵キャパシタ（Ｃｓｔ）は以前のデータ電圧に対応する電圧値で充電された後、第１ノード（Ｎ１）に連結した貯蔵キャパシタ（Ｃｓｔ）の他電極に印加される前記初期化電圧（Ｖｉｎｉｔ）によって順に放電される。すなわち、貯蔵キャパシタ（Ｃｓｔ）の充電電圧は、以前のデータ電圧に対応する電圧から貯蔵キャパシタ（Ｃｓｔ）の両端にかかる電圧差、すなわち、駆動電源電圧（ＥＬＶＤＤ）と初期化電圧（Ｖｉｎｉｔ）の差だけの電圧に変わる。
【００８８】
次に、時点ｔ２において、第１制御線で補償制御信号（ＧＣ）がゲートオン電圧レベルのローレベルに変換する。ローレベルの補償制御信号（ＧＣ）に応答してしきい値電圧補償トランジスタ（Ｍ３）がターンオンすれば、駆動トランジスタ（Ｍ１）のゲート電極と第２電極がダイオード連結する。駆動トランジスタ（Ｍ１）のゲート電極とドレイン電極が連結すれば、駆動トランジスタがダイオードとしての機能をなすことにより、第１ノード（Ｎ１）に駆動トランジスタ（Ｍ１）のしきい値電圧（Ｖｔｈ）が印加される。
【００８９】
これにより、貯蔵キャパシタ（Ｃｓｔ）は、初期化電圧（Ｖｉｎｉｔ）に対応する電圧値で維持された後、駆動トランジスタ（Ｍ１）のしきい値電圧（Ｖｔｈ）に対応する電圧値で放電される。しきい値電圧の補償のための補償時間は、貯蔵キャパシタ（Ｃｓｔ）が時点ｔ１において初期化電圧に対応する電圧で充電され、時点ｔ２において駆動トランジスタのしきい値電圧に対応する電圧で放電される時間を意味する。
【００９０】
したがって、本発明によれば、初期化電圧（Ｖｉｎｉｔ）を駆動トランジスタ（Ｍ１）のしきい値電圧に対応する相違した値で設定して印加するようになれば、同じ補償時間に画素のしきい値電圧の補償が十分に行われるようになる。
【００９１】
その後、時点ｔ３において、走査信号（ｓｃａｎ）がゲートオンレベルの所定のローレベルに変換する。ローレベルの走査信号（ｓｃａｎ）は、画素の対応する走査線を通じてスイッチングトランジスタ（Ｍ２）に伝達され、スイッチングトランジスタ（Ｍ２）がターンオンする。これにより、スイッチングトランジスタ（Ｍ２）の第１電極にデータ信号によるデータ電圧（Ｖｄａｔａ）が印加されて第１ノード（Ｎ１）に伝達される。貯蔵キャパシタ（Ｃｓｔ）は、データ入力期間（Ｄａｔａ）に前記データ信号によるデータ電圧（Ｖｄａｔａ）に対応する電圧値で維持される。
【００９２】
走査信号（ｓｃａｎ）の電圧レベルがハイレベルに上昇するようになれば、スイッチングトランジスタ（Ｍ２）がターンオフしてデータ入力が終了する。これにより、駆動トランジスタ（Ｍ１）は、ゲート電極とソース電極の両端の電圧差に対応する電圧、すなわち、貯蔵キャパシタ（Ｃｓｔ）で維持される電圧に対応する駆動電流を有機発光ダイオード（ＯＬＥＤ）に流して発光させる。
【００９３】
画素の特性に応じて駆動トランジスタのしきい値電圧が互いに相違するとはいえ、データ入力以前に既に十分に補償されているため、しきい値電圧特性に関係なく、データ電圧（Ｖｄａｔａ）による正確な輝度に発光することができる。
【００９４】
上述した図２と図３の駆動過程において、本発明に係る画素の初期化電圧印加過程としきい値電圧補償過程は、図４と図５のグラフを利用しながら具体的に説明する。
【００９５】
図４は、駆動トランジスタのしきい値電圧散布と補償時間の関係を示すグラフである。
【００９６】
画素の基底基板の多結晶シリコン特性、製造工程、工法、環境に応じて、駆動トランジスタのしきい値電圧特性が均一でない第１画素（ＴＳ１）、第２画素（ＴＳ２）、および第３画素（ＴＳ３）を一例とする。１つの表示パネルに前記第１画素（ＴＳ１）〜第３画素（ＴＳ３）が含まれる。
【００９７】
本発明の実施形態において、画素を構成するトランジスタはＰＭＯＳであると例示したため、これを基準として説明する。したがって、図４のグラフにおいて、所定のデータ電圧（Ｖｄａｔａ）はマイナス値に可変してもよい。すなわち、図４のグラフにおいて、Ｙ軸の増加は、負の領域において絶対値が増加することを表示する。
【００９８】
また、第１画素の駆動トランジスタのしきい値電圧は、前記所定のデータ電圧（Ｖｄａｔａ）に近いＶＣ１であり、第２画素の駆動トランジスタのしきい値電圧はＶＣ２、第３画素の駆動トランジスタのしきい値電圧はＶＣ３である。したがって、前記所定のデータ電圧（Ｖｄａｔａ）と前記第１〜第３画素の駆動トランジスタのしきい値電圧値の差は、Ｖｔｈ１、Ｖｔｈ２、Ｖｔｈ３のとおりである。
【００９９】
各構成トランジスタのしきい値電圧を補償するためには、構成トランジスタのゲート電極とドレイン電極がダイオード連結し、ゲート電極電圧がそれぞれ対応するしきい値電圧値（ＶＣ１〜ＶＣ３）で維持されなければならない。
【０１００】
しかし、上述したように、図２の画素駆動によってしきい値電圧の補償以前に初期化電圧が駆動トランジスタのゲート電極に印加される。
【０１０１】
従来は、このような初期化電圧（Ｖｉｎｉｔ）が、図４のグラフに示すように所定の値として同じ値で印加された。
【０１０２】
これにより、初期化電圧（Ｖｉｎｉｔ）から前記第１〜第３画素の各駆動トランジスタのしきい値電圧（ＶＣ１〜ＶＣ３）に落ちる補償期間が異なるようになる。すなわち、第１画素の駆動トランジスタは、初期化電圧（Ｖｉｎｉｔ）からしきい値電圧（ＶＣ１）まで電流が抜け出るのにかかる補償時間がＴｔｈ１と最も長い。この反面、第３画素の駆動トランジスタは、初期化電圧（Ｖｉｎｉｔ）からしきい値電圧（ＶＣ３）まで電流が抜け出るのにかかる補償時間がＴｔｈ３と最も短い。
【０１０３】
このように、駆動トランジスタのしきい値電圧特性に応じて補償時間（Ｔｔｈ１〜Ｔｔｈ３）がそれぞれ相違する。
【０１０４】
表示装置が高速駆動して十分な補償時間を確保できず、同じ所定の基準補償時間（ｔｘ）にしきい値電圧を補償するとき、第２画素の駆動トランジスタのゲート電圧値はｂに到達し、第３画素の駆動トランジスタのゲート電圧値はｃに到達し、それぞれのしきい値電圧が十分に補償されるが、第１画素の駆動トランジスタのゲート電圧値はａに到達してしきい値電圧が補償されない。
【０１０５】
このようになれば、第１画素（ＴＳ１）は、データ信号によるデータ電圧が印加されたとき、意図としたデータ電圧とは異なる電圧を出力するようになり、表示パネルの他の画素と発光程度が異なるようになる。
【０１０６】
これにより、本発明の映像補償装置は、画素の駆動トランジスタのゲート電圧に印加される初期化電圧（Ｖｉｎｉｔ）の電圧値を駆動トランジスタのしきい値電圧に対応し、それぞれ異なるように設定して印加する。
【０１０７】
図５は、上述した図４に対して本発明の映像補償方法を適用するとき、駆動トランジスタのしきい値電圧が補償されることを示すグラフである。
【０１０８】
映像補償装置１００の電圧制御部１３０において、第１画素〜第３画素（ＴＳ１〜ＴＳ３）それぞれの駆動トランジスタのしきい値電圧に対応して初期化電圧を異なるように設定する。すなわち、第１画素（ＴＳ１）に印加される初期化電圧（Ｖｉｎｉｔ１）、第２画素（ＴＳ２）に印加される初期化電圧（Ｖｉｎｉｔ２）、および第３画素（ＴＳ３）に印加される初期化電圧（Ｖｉｎｉｔ３）を各画素の駆動トランジスタのしきい値電圧に対応して相違するように設定する。
【０１０９】
電圧制御部１３０で異なるように設定される初期化電圧それぞれ（Ｖｉｎｉｔ１〜Ｖｉｎｉｔ３）は、所定の補償時間（Ｔｔｈｓ）が終了する時点に、各画素の駆動トランジスタのゲート電圧値が各しきい値電圧を補償するのに十分な電圧値で維持されるように制御されるようになる。
【０１１０】
すなわち、第１画素（ＴＳ１）に印加される初期化電圧（Ｖｉｎｉｔ１）が前記補償時間（Ｔｔｈｓ）に第１画素（ＴＳ１）の駆動トランジスタのしきい値電圧（ＶＣ１）の電圧値ｄまで十分に到達できるように、初期化電圧（Ｖｉｎｉｔ１）を他の画素の初期化電圧に比べて低電圧に設定する。
【０１１１】
第２画素（ＴＳ２）に印加される初期化電圧（Ｖｉｎｉｔ２）は、前記補償時間（Ｔｔｈｓ）に第２画素（ＴＳ２）の駆動トランジスタのしきい値電圧（ＶＣ２）の電圧値ｅまで十分に到達できるように設定される。
【０１１２】
また、第３画素（ＴＳ３）に印加される初期化電圧（Ｖｉｎｉｔ３）は、前記補償時間（Ｔｔｈｓ）に第３画素（ＴＳ３）の駆動トランジスタのしきい値電圧（ＶＣ３）の電圧値ｆまで十分に到達できるように、初期化電圧（Ｖｉｎｉｔ３）を他の画素の初期化電圧に比べて高電圧に設定する。
【０１１３】
図５のように、同じ補償期間に各画素の駆動トランジスタのしきい値電圧を十分に補償するために初期化電圧を異なるように設定して印加することにより、各駆動トランジスタのゲート−ソース電圧（Ｖｇｓ）が同じデータ電圧に対して同じ値で出力されて駆動電流が決定される。したがって、表示パネルの画素の駆動トランジスタのしきい値電圧が異なるように分布しても、同じデータ信号による駆動電流が同じように決定され、発光時に一定の輝度で表示され、ムラ現象を防ぐことができる。
【０１１４】
上述した図４および図５の第１〜第３画素は、駆動トランジスタのしきい値電圧が相違した個別の画素を例示したが、これに限定されることはなく、画素ライン別、ブロック別、フレーム別に適用される。
【０１１５】
図６は、本発明の実施形態に係る映像補償方法を示すフローチャートである。
【０１１６】
まず、表示パネルに対する試験用設定値を入力する（Ｓ１）。試験用設定値は、表示パネルに含まれる画素の駆動トランジスタのしきい値電圧散布を測定するために、各画素に印加する所定のデータ電圧設定値と所定の初期化電圧設定値であってもよい。
【０１１７】
前記試験用設定値が入力されて表示パネルの各画素が駆動し、所定の輝度で発光する（Ｓ２）。すなわち、表示パネルの各画素は、前記試験用初期化電圧設定値によって同じ電圧で初期化された後、前記試験用データ電圧に対応する駆動電流によって発光する。
【０１１８】
このとき、表示パネルの表示映像に対する輝度分析を行い、表示パネルの各画素の駆動トランジスタのしきい値電圧散布を測定する（Ｓ３）。すなわち、前記試験用データ電圧によるターゲット輝度が決定されているが、表示パネルに属した各画素の駆動トランジスタのしきい値電圧が相違することにより、実際の輝度で発光するようになる。前記Ｓ３段階では、ターゲット輝度の所定の臨界範囲を設定し、実際の輝度を測定し、前記臨界範囲を逸脱した程度を測定して領域別に分析する。
【０１１９】
このような分析過程は、試験用初期化電圧をそれぞれ異にしながら繰り返し実行されてもよい。すなわち、前記Ｓ１段階〜Ｓ３段階が試験用初期化電圧を異にしながら繰り返し実行されてもよい。一例として、試験用データ信号の階調に応じて、初期化電圧を−２Ｖ〜０Ｖの範囲で一定の間隔ごとに増加したり減少しながら表示パネルの試験映像を表示し、パネルにおけるムラ発現程度を調べる。
【０１２０】
試験用初期化電圧をそれぞれ異にしながらデータ信号の階調別に分析された情報は、ルックアップテーブル形態に格納される（Ｓ４）。前記格納される分析情報は、試験用初期化電圧による試験用データの映像が実際にはどの階調値で表示されるのかに関するテーブルである。
【０１２１】
格納部に格納された初期化電圧による階調分析情報を利用し、画素別、ブロック別、あるいはフレーム別に印加される初期化電圧を演算する（Ｓ５）。このとき、演算される初期化電圧は、試験用初期化電圧値を異にしながら表示パネルの映像を表示するとき、階調ムラが発生しない水準で決定されてもよい。ここで、前記ブロックは、少なくとも１つの画素ラインに含まれる画素領域を意味する。
【０１２２】
初期化電圧を異なるように印加する基準領域を前記表示パネルの散布測定過程で分析された情報によって決定してもよい。すなわち、ターゲット輝度に対応して実際の輝度が表示される表示パネルの分析パターンによって相違する初期化電圧を、画素別に印加するか、ブロック別に印加するか、フレーム別に印加するかを決定してもよい。
【０１２３】
前記基準領域を決定した後、異なるように設定された初期化電圧を、画素別、ブロック別、あるいはフレーム別に印加する（Ｓ６）。上述したように、画素別に初期化電圧を印加する実施形態と、ブロック別、フレーム別に初期化電圧を印加する実施形態は異なってもよい。
【０１２４】
前記Ｓ６段階において、しきい値電圧の散布に応じて初期化電圧が異なるように印加されれば、高速駆動で限定されるしかない所定の補償時間にも、互いに異なる駆動トランジスタのしきい値電圧が十分に補償されるようになる。したがって、表示パネルにおける階調ムラが補償され、高画質の画面を実現することができる。
【０１２５】
このように、本実施形態によれば、大型化した表示機器の高速駆動下でも画素の駆動トランジスタのしきい値電圧の散布を補償することができ、これによって表示映像の階調ムラを防いで鮮明な画質を実現することができる。また、表示パネルの複数の駆動トランジスタのしきい値電圧散布の補償によって映像補償に必要な時間を節減するようになり、大型化した表示機器に容易に適用することができ、表示機器の画質品質を改善すると同時に高速駆動が可能になる。
【０１２６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１２７】
１００    映像補償装置
１１０    散布測定部
１２０    格納部
１３０    電圧制御部
１４０    初期化電圧供給部
２００    表示パネル
【図１】
2014026256.tif 000003
【図２】
2014026256.tif 000004
【図３】
2014026256.tif 000005
【図４】
2014026256.tif 000006
【図５】
2014026256.tif 000007
【図６】
2014026256.tif 000008